(57)【要約】      （修正有）【課題】メディア処理装置を複数台使用して作業が行なわれる場合、装置から離れたところに設置されたモニターから離れている作業者にも、各装置の稼働状況が把握可能な、メディア処理装置およびメディア処理システムを提供する。【解決手段】メディアドライブ４１および筺体内部を照明する照明部３７を制御部８０により制御する。制御部８０は、メディアドライブ４１が扱うメディアの種類に応じて、照明部３７が発する光の色を変化させる。【選択図】図４
2013191261.tif 000002
【特許請求の範囲】
【請求項１】
筺体本体と、
前記筺体本体内に設けられ、メディアに対して所定の処理を行うメディア処理部と、
前記筺体本体内部に設けられ、複数種類の色を発光可能な照明部と、
前記メディア処理部および前記照明部を制御する制御部とを備え、
前記制御部は、前記メディア処理部が扱う前記メディアの種類に応じて、前記照明部が発する光の色を変化させることを特徴とするメディア処理装置。
【請求項２】
前記制御部は、前記メディアの種類に応じて、前記照明部の点灯タイミングを制御することを特徴とする請求項１記載のメディア処理装置。
【請求項３】
前記制御部は、前記所定の処理の段階に応じて、前記照明部の点灯タイミングを制御することを特徴とする請求項１または２記載のメディア処理装置。
【請求項４】
前記メディア処理部は、複数種類のメディアに対して同時に前記所定の処理を実行可能とされ、
前記制御部は、前記メディアの種類に対応させて前記照明部を異なる色により発光させるとともに、前記メディア処理部において複数種類のメディアに対して同時に前記所定の処理が行われているときには、より記憶容量の大きいメディアの種類に対応させた色により前記照明部を発光させることを特徴とする請求項１から３のいずれか一項に記載のメディア処理装置。
【請求項５】
前記メディア処理部は、複数の工程を行う構成とされるとともに、前記複数の工程のうちの少なくとも一つに対応させて、所定の色により前記照明部を発光させることを特徴とする請求項１から４のいずれか一項に記載のメディア処理装置。
【請求項６】
前記制御部は、前記メディア処理部において異常が生じた場合に、前記照明部の点灯状態を変化させることを特徴とする請求項１から5のいずれか一項に記載のメディア処理装置。
【請求項７】
前記点灯状態には、前記照明部が発する光の色の種類が含まれることを特徴とする請求項６記載のメディア処理装置。
【請求項８】
前記点灯状態には、前記照明部の点灯タイミングが含まれることを特徴とする請求項６または７記載のメディア処理装置。
【請求項９】
制御端末と、
前記制御端末に接続された複数台のメディア処理装置であって、請求項１から８のいずれか一項に記載のメディア処理装置と、を備えた、メディア処理システム。
【発明の詳細な説明】
【技術分野】
【０００１】
本発明は、CD、DVD等のメディアの記録面へデータ書込み処理や、メディアのレーベル面に対する印刷処理を行うメディア処理装置およびシステムに関する。
【背景技術】
【０００２】
この種の装置としては、例えば、特許文献１に記載されたものが知られている。
【先行技術文献】
【特許文献】
【０００３】
【特許文献１】特開２０１０−１６５４３９号公報
【発明の概要】
【発明が解決しようとする課題】
【０００４】
工場において、大量のメディアに対して処理を行う必要がある場合、上記のようなメディア装置を複数台使用して作業が行われる。この場合、装置から離れたところに設置されたモニターにより、各装置の稼働状況を監視しながら作業が行われるのが通常である。しかしながら、装置の稼働中において、モニターから離れてメディア処理装置の周辺でメディアの入れ替えや梱包などを行っている作業者にも、各装置の稼働状況を把握したいという要求がある。特に、各装置のどの種類のメディアに対して処理を行っているかについてや、装置に異常が発生して処理が停止しているかどうかについてを、正確に把握することが、作業者の作業効率を向上させる場合がある。
【０００５】
本発明は、このような事情に鑑みてなされたものであり、モニターを介さず稼働状況を把握することが可能なメディア処理装置およびメディア処理システムを提供することを課題とする。
【課題を解決するための手段】
【０００６】
上記課題の少なくとも一部を解決するために、本発明は、以下のような適用例として実現することができる。
【０００７】
（適用例１）
適用例１のメディア処理装置は、
筺体本体と、
前記筺体本体内に設けられ、メディアに対して所定の処理を行うメディア処理部と、
前記筺体本体内に設けられ、複数種類の色を発光可能な照明部と、
前記メディア処理部および前記照明部を制御する制御部とを備え、
前記制御部は、前記メディア処理部が扱う前記メディアの種類に応じて、前記照明部が発する光の色を変化させることを特徴としている。
【０００８】
こうした構成により、どのような種類のメディアが処理されているかを装置の外部から容易に把握することができる。
【０００９】
（適用例２）  適用例２のメディア処理装置は、適用例１のメディア処理装置であって、前記制御部は、前記メディアの種類に応じて、前記照明部の点灯タイミングを制御することを特徴としている。
【００１０】
これにより、より多くの種類の処理対象のメディアを判別することができる。
【００１１】
（適用例３）  適用例３のメディア処理装置は、適用例１または２のメディア処理装置であって、前記制御部は、前記所定の処理の段階に応じて、前記照明部の点灯タイミングを制御することを特徴としている。
このような構成により、メディアの種類だけでなく、メディアの処理がどのような段階にあるかを把握することができる。
【００１２】
（適用例４）  適用例４のメディア処理装置は、適用例１から３のいずれかのメディア処理装置であって、前記メディア処理部は、複数種類のメディアに対して同時に前記所定の処理を実行可能とされ、
前記制御部は、前記メディアの種類に対応させて前記照明部を異なる色により発光させるとともに、前記メディア処理部において複数種類のメディアに対して同時に前記所定の処理が行われているときには、より記憶容量の大きいメディアの種類に対応させた色により前記照明部を発光させることを特徴としている。
【００１３】
一般にメディアの書込み処理は、記憶すべき容量が大きいほど時間を要するため、上記のような構成を備えた装置を複数配列した場合に、各装置においてどのくらいの処理時間がかかるのかをおおよそ判別することが可能となる。
【００１４】
（適用例５）  適用例５のメディア処理装置は、適用例１から４のいずれかのメディア処理装置であって、前記メディア処理部は、複数の工程を行う構成とされるとともに、前記複数の工程のうちの少なくとも一つに対応させて、所定の色により前記照明部を発光させることを特徴としている。
このような構成により、装置において行われる特定の工程を把握することが可能となる。
【００１５】
（適用例６）  適用例６のメディア処理装置は、適用例１から5のいずれかのメディア処理装置であって、前記制御部は、前記メディア処理部において異常が生じた場合に、前記照明部の点灯状態を変化させることを特徴としている。
このような構成により、装置に異常が生じた場合、これをすぐに把握することができる。なお、点灯状態には、前記照明部が発する光の色の種類や、前記照明部の点灯タイミングが含まれていてもよい。
【００１６】
（適用例７）  また、適用例７として、制御端末と、前記制御端末に接続された複数台のメディア処理装置であって、適用例１から６のいずれかのメディア処理装置とにより、メディア処理システムを構成するようにしてもよい。
【図面の簡単な説明】
【００１７】
【図１】本発明の一実施の形態に係るメディア処理システムのブロック図である。
【図２】図１に示したメディア処理装置の外観斜視図である。
【図３】図２に示したメディア処理装置の内部の外観斜視図である。
【図４】メディア処理装置の内部の機能ブロック図である。
【発明を実施するための形態】
【００１８】
以下、本発明の実施の形態を、添付図面を参照して説明する。
図１は、本発明の一実施の形態に係るメディア処理システム１の概略を表すブロック図である。図１に示すように、メディア処理システム１は、表示部２ａを備えたＰＣなどによって構成された制御端末２と、制御端末２にＬＡＮ回線やケーブルを介して接続された複数のメディア処理装置３，３，…とを有している。
【００１９】
図２および３は、メディア処理装置３の構造を示す図であり、図２は、メディア処理装置３の開閉扉を開放した場合の外観斜視図、図３は、メディア処理装置３の筺体を取り外した場合の外観斜視図である。
【００２０】
メディア処理装置３は、例えばＣＤ（Ｃｏｍｐａｃｔ Ｄｉｓｃ）、ＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）等の円盤状のメディアへのデータの書き込みやメディアのレーベル面への印刷を行う装置であり、ほぼ直方体形状の筺体４を備えている。この筺体４の前面には、左右に開閉可能な開閉扉５ａ，５ｂが取り付けられている。筺体４の上側左端部には、表示ランプ、操作ボタン等が配列されたインターフェース６が設けられ、筺体４の下端部には引出機構７が設けられている。
【００２１】
筺体４の内部には、データ書き込み処理が行われていない複数枚（例えば５０枚）の未使用のメディアＭをスタック可能なメディアスタッカー２１と、複数枚（例えば５０枚）の未使用のメディアＭあるいは作成済みメディアＭが保管されるメディアスタッカー２２とが上下に配置されている。
【００２２】
上側のメディアスタッカー２１は、左右一対の円弧状の枠板２４，２５を備えており、
これにより、メディアＭを上側から受け入れ、同軸に積層した状態で収容可能な構成をなしている。メディアスタッカー２１にメディアＭを収容あるいは補充する作業は、開閉扉５ａを開けてメディアスタッカー２１を取り出すことにより、簡単に行うことが可能となっている。
【００２３】
下側のメディアスタッカー２２も同一構造となっており、左右一対の円弧状の枠板２７，２８を備え、これによって、メディアＭを上側から受け入れ、同軸に積層した状態で収容可能なスタッカーが構成されている。
【００２４】
メディアスタッカー２１およびメディアスタッカー２２の後側には、メディア搬送機構３１が配置されている。メディア搬送機構３１は、垂直に配置された垂直ガイド軸３５と、この垂直ガイド軸３５に取り付けられた搬送アーム３６とを備えている。搬送アーム３６は、垂直ガイド軸３５に沿って昇降可能であり、かつ垂直ガイド軸３５を中心に旋回可能な状態で支持されている。また、搬送アーム３６には、筺体４内部の照明となる照明部３７が取り付けられている。照明部３７は、赤色光を発光可能な赤色ランプ部３７ａ、黄色光を発光可能な黄色ランプ部３７ｂ、青色光を発光可能な青色ランプ部３７ｃを備え、赤、黄、青の３色で発光可能とされている。
【００２５】
上下のスタッカー２１，２２およびメディア搬送機構３１の側方の後方の部位には、上下に積層された２つのメディアドライブ４１，４１が配置され、これらメディアドライブ４１，４１の下側にプリンター１１のキャリッジが移動可能に配置されている。
【００２６】
メディアドライブ４１は、メディアＭへのデータ書き込み位置とメディアＭの受け取り受け渡しを行うメディア受け渡し位置との間を移動可能なメディアトレイ４１ａをそれぞれ有している。
【００２７】
また、プリンター１１は、メディアＭのレーベル面へ印刷可能な印刷位置とメディアＭの受け取り受け渡しを行うメディア受け渡し位置との間を移動可能なメディアトレイ４５を有している。
【００２８】
図２では、上下のメディアドライブ４１のメディアトレイ４１ａが手前に引き出されてメディア受け渡し位置にある状態および下側のプリンター１１のメディアトレイ４５が手前側のメディア受け渡し位置にある状態が示されている。また、プリンター１１はインクジェットプリンターにより構成されている。
【００２９】
ここで、メディアスタッカー２１の左右一対の枠板２４，２５の間およびメディアスタッカー２２の左右一対の枠板２７，２８の間には、メディア搬送機構３１の搬送アーム３６が昇降可能な隙間が形成されている。また、これら上下のメディアスタッカー２１とメディアスタッカー２２との間には、メディア搬送機構３１の搬送アーム３６が水平に旋回して、メディアスタッカー２２の真上に位置できるように隙間が開いている。さらに、両メディアトレイ４１ａをメディアドライブ４１に押し込むと、メディア搬送機構３１の搬送アーム３６を下降させて、メディア受け渡し位置にあるメディアトレイ４５にアクセス可能となっている。
【００３０】
メディア搬送機構３１の搬送アーム３６は、両メディアトレイ４１ａをデータ書き込み位置に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴であって、メディアスタッカー（別体スタッカー）が装着されるガイド穴６５が形成されている。
【００３１】
図２および図３に示すように、引出機構７は、引出トレイ７０を有し、引出トレイ７０には、スタッカー部７１が下方に凹んで設けられている。引出トレイ７０が収納位置（閉位置）にあるとき、スタッカー部７１は、ガイド穴６５の下方に位置し、スタッカー部７１の中心部は、受け渡し位置にある両メディアトレイ４１ａとメディアトレイ４５の中心軸線が同一となるように位置されている。このスタッカー部７１は、ガイド穴６５を介して投入されるメディアＭを受け入れ、このメディアＭを比較的少量（例えば５枚〜１０枚程度）だけ収容する。スタッカー部７１は、メディアＭを上側から受け入れ、同軸に積層した状態で収容可能となっている。
【００３２】
収納状態にある引出トレイ７０のスタッカー部７１およびガイド穴６５には、スタッカー部７１よりもメディアＭの収容量が多いメディアスタッカー（別体スタッカー）７２が着脱可能となっている（図２参照）。このメディアスタッカー７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、メディア搬送機構３１の搬送アーム３６が昇降可能な隙間が形成されている。また、一方の枠板７４の上部には着脱時にユーザーによって把持される取っ手７５が設けられている。
【００３３】
そして、メディアスタッカー７２を取り付けた状態とすれば、下側のメディアスタッカー２２から未使用のメディアＭを取り出し、メディアドライブ４１およびプリンター１１でデータ記録および印刷を行った後に、メディアスタッカー７２に収容することができる。
【００３４】
また、例えば、上側のメディアスタッカー２１および下側のメディアスタッカー２２にそれぞれの最大収容枚数（５０枚＋５０枚）の未使用のメディアＭを装填し、下側のメディアスタッカー２２の全枚数（５０枚）のメディアＭを順次処理してメディアスタッカー７２に収容し、次に、上側のメディアスタッカー２１の全枚数（５０枚）のメディアＭを順次処理して、空となった下側のメディアスタッカー２２に収容する。このようにして、上側のメディアスタッカー２１および下側のメディアスタッカー２２の最大収容枚数（５０枚＋５０枚）のメディアＭを一度に処理する。
【００３５】
また、メディアスタッカー７２を取り外した状態とすれば、上側のメディアスタッカー２１あるいは下側のメディアスタッカー２２から未使用のメディアＭを取り出し、メディアドライブ４１およびプリンター１１でデータ記録および印刷を行った後に、収納状態にある引出トレイ７０のスタッカー部７１に収容することができる。
【００３６】
これにより、その後、引出トレイ７０を引き出すことでスタッカー部７１から処理が完了したメディアＭを取り出すことができる。つまり、メディアＭへの処理中であっても、開閉扉５ａを閉じたまま、処理が完了したメディアＭから順に１枚ずつあるいは複数枚ずつ取り出すことができる。
【００３７】
図４はメディア処理装置３の内部の機能ブロック図である。
図中に示すように、メディア処理装置３は、制御端末２およびインターフェース６に接続された制御部８０を備えている。制御部８０は、プリンター１１、メディア搬送機構３１、メディアドライブ４１および照明部３７に接続され、制御端末２からのコマンドに基づき、あるいはインターフェース６におけるユーザーの操作に応じて、プリンター１１、メディア搬送機構３１、メディアドライブ４１および照明部３７の動作を制御する。
【００３８】
メディア処理装置３におけるメディア作成処理は、具体的には、以下のようになる。
まず、制御端末２から送信されたメディア作成コマンドに基づき、制御部８０は、メディア搬送機構３１に搬送コマンドを送信する。この搬送コマンドに基づき、メディア搬送機構３１は、メディアスタッカー２１あるいは２２に積層されているメディアＭをピックアップし、メディアドライブ４１へ搬送する。そして、メディアドライブ４１は、メディアＭのメディアドライブ４１への搬送が終了した旨の通知を制御部８０へ送信する。
【００３９】
一方、制御部８０は、制御端末２からメディア作成コマンドとともに送信された記録データを受信し、この記録データをメディアドライブ４１へ送信する。さらに、制御部８０は、メディア搬送機構３１から送信されたメディアＭの搬送終了に関する通知を受信すると、メディアドライブ４１に対してデータ書き込みコマンドを送信する。これに基づき、メディアドライブ４１は、メディアＭへデータを書き込む。このときメディアドライブ４１は、制御部８０に対して、メディアドライブ４１が扱っているメディアの種類（ＣＤ、ＤＶＤ、あるいはＢＤ）を通知する。
【００４０】
制御部８０はメディアドライブ４１から通知されたメディアの種類に関する情報に基づき、照明部３７を制御する。具体的には、メディアドライブ４１からＣＤに対してデータの書き込みを行っている旨の信号が出力された場合には、制御部８０は照明部３７のうち赤色ランプ部３７ａのみを点灯し、黄色ランプ部３７ｂおよび青色ランプ部３７ｃを消灯する。また、メディアドライブ４１からＤＶＤに対してデータの書き込みを行っている旨の信号が出力された場合には、制御部８０は照明部３７のうち黄色ランプ部３７ｂのみを点灯し、赤色ランプ部３７ａおよび青色ランプ部３７ｃを消灯する。さらに、メディアドライブ４１からＢＤに対してデータの書き込みを行っている旨の信号が出力された場合には、制御部８０は照明部３７のうち青色ランプ部３７ｃのみを点灯し、赤色ランプ部３７ａおよび黄色ランプ部３７ｂを消灯する。
【００４１】
なお、このメディア処理装置３においては、二つのメディアドライブ４１，４１において、互いに異なる種類のメディアＭに対して同時に書き込み処理を行うことも可能である。この場合、制御部８０は、より容量の大きい種類のディスクに対応した色が点灯されるように、照明部３７を制御する。たとえば、一方のメディアドライブ４１においてＣＤに対するデータの書き込みが行われ、これと同時に他方のメディアドライブ４１においてＤＶＤに対するデータの書き込みが行われている場合に、制御部８０は、筺体４内部が、ＤＶＤに対応する色、すなわち黄色にて照明されるように、照明部３７を制御し、黄色ランプ部３７ｂのみを点灯するととともに、赤色ランプ部３７ａおよび青色ランプ部３７ｃを消灯する。
【００４２】
メディアドライブ４１によるデータ書き込み処理が完了し、メディアドライブ４１からデータ書き込み処理終了の旨の通知を受信すると、制御部８０は、メディア搬送機構３１にメディアドライブ４１からプリンター１１へメディアＭを搬送する旨のコマンドを送信する。これに伴い、メディア搬送機構３１は、メディアドライブ４１からメディアトレイ４５へメディアＭを搬送する。
【００４３】
また、これと同時に、制御部８０は、制御端末２から受信した印刷データをプリンター１１に送信し、プリンター１１は、この印刷データに基づいてメディアトレイ45条のメディアＭに対してレーベル印刷を実行する。  
【００４４】
プリンター１１における印刷が終了したら、プリンター１１は、制御部８０に対して印刷が終了した旨の通知を行い、制御部８０は、メディア搬送機構３１に対して、プリンター１１上のメディアＭをメディア保管部、たとえばメディアスタッカー２２に搬送する旨のコマンドを送信する。これに従い、メディア搬送機構３１は、メディアＭをプリンター１１からメディア保管部に対して搬送する。
【００４５】
以上説明したように、本実施の形態においては、筺体４内部に赤色、黄色、青色の三色を発光可能な照明部３７が設けられるとともに、制御部８０が、メディアドライブ４１において書き込み処理が行われているメディアＭの種類に応じて照明部３７が発する光の色を変化させるようにしている。このため、どのような種類のメディアＭが処理されているかをメディア処理装置３の外部から判別することができる。これにより、装置の稼働中において、モニターから離れてメディア処理装置３の周辺でメディアの入れ替えや梱包などを行っている作業者にも、各装置の稼働状況を容易に把握することが可能であり、作業者の作業効率を向上させることができる。
【００４６】
また、メディア４１，４１において、互いに異なる種類のメディアＭに対して同時に書き込み処理が行われているときには、より記憶容量の大きいメディアの種類に対応させた色により照明部３７を発光させるようにしている。  一般にメディアへの書込み処理は、記憶すべき容量が大きいほど時間を要するため、メディア処理装置３が複数配列されたメディア処理システム１において、各装置においてどのくらいの処理時間がかかるのかをおおよそ判別することが可能となる。これにより作業者の生産性および利便性の向上を図ることができる。
【００４７】
以上において本発明の一実施の形態を説明したが、本発明は上記実施の形態に限定されず、その趣旨を逸脱しない範囲内で必要に応じて他の構成を採用することが可能である。
たとえば、上記実施の形態において、制御部８０は、メディアＭの種類に応じて照明部３７が異なる色を発光させるようにしていたが、これに限定されず、メディアＭの種類に応じて照明部３７の点灯タイミングを制御するようにしてもよい。たとえば、メディアドライブ４１において書き込み処理が行われているメディアＭが所定の種類のメディアＭであった場合に、赤色ランプ部３７ａ，黄色ランプ部３７ｂ，青色ランプ部３７ｃのいずれかを点滅させるようにしてもよい。また、二つのメディアドライブ４１，４１において、互いに異なる種類のメディアＭに書き込み処理が行われているときには、そのメディアＭの種類に対応する色で、照明部３７を交互に点滅させるようにしてもよい。すなわち、一方のメディアドライブ４１においてＣＤに対する書込み処理が行われ、他方のメディアドライブ４１においてＤＶＤに対する書込み処理が行われている場合には、制御部８０は、赤色ランプ部３７ａと黄色ランプ部３７ｂとが交互に点灯するように照明部３７を制御するようにしてもよい。このように照明部３７の点灯タイミングを制御することにより、限られた数のランプにより多くの種類のメディアを判別させることができる。
【００４８】
さらに、制御部８０が、メディア処理装置３内における処理の段階に応じて、照明部３７の点灯タイミングを制御するようにしてもよい。たとえば、メディアＭとしてのＣＤについて、メディアドライブ４１における書き込み処理が終了し、プリンター１１における印刷処理が開始された場合には、ＣＤに対応する赤色ランプ部３７ａを点滅するようにしてもよい。また、メディアドライブ４１における書き込み処理が終了する直前にメディアＭの種類に対応する色のランプを所定期間点滅させるようにしてもよい。これらにより、メディアＭの種類だけでなく、メディアＭに対する処理がどのような段階にあるかを容易に作業者に把握することができる。
【００４９】
また、制御部８０が、メディア処理装置３内におけるメディアＭの搬送、書き込み処理、印刷処理の工程の少なくとも一つに対応させて、所定の色により照明部３７を発光させるようにしてもよい。たとえば、メディアＭをメディア搬送機構３１により搬送させているときに、赤色ランプ部３７ａを点灯し、メディアドライブ４１においてメディアＭに対して書き込み処理を行っているときに、黄色ランプ部３７ｂを点灯し、プリンター１１において印刷処理を行っているときに、青色ランプ部３７ｃを点灯するようにしてもよい。このような構成を採用した場合、メディア処理装置３において行われる特定の工程を作業者が容易に把握することが可能となる。
【００５０】
さらに、上記実施の形態において、メディアドライブ４１における書き込み処理時やプリンター１１による印刷時において何らかの異常（エラー）が発生したときに、照明部３７の点灯状態を変化させるようにしてもよい。たとえば、こうしたエラーの発生時に、書き込み対象のメディアＭに対応する色のランプ部が点滅するように照明部３７を制御するようにしてもよいし、赤色ランプ部３７ａ，黄色ランプ部３７ｂ，青色ランプ部３７ｃのいずれか一つまたは複数を点灯することによりによりエラーの発生を示すようにしてもよい。
【００５１】
照明部３７のランプ部は、赤色ランプ部３７ａ，黄色ランプ部３７ｂ，青色ランプ部３７ｃの３つに限定されることなく、他の色のランプをさらに備えてもよいし、あるいは、赤色ランプ部３７ａ，黄色ランプ部３７ｂ，青色ランプ部３７ｃのいずれかを省略するようにしてもよい。
また、この他にも、本発明の趣旨を逸脱しない範囲内で、構造やシステム構成について他の構成を採用するようにしてもよく、また、これらの構成を適宜選択的に組み合わせてよいのは言うまでもない。
【符号の説明】
【００５２】
１…メディア処理システム、２…制御端末、２ａ…表示部、３…メディア処理装置、４…筺体、１１…プリンター、３１…メディア搬送機構、４１…メディアドライブ、８０…制御部
【図１】
2013191261.tif 000003
【図２】
2013191261.tif 000004
【図３】
2013191261.tif 000005
【図４】
2013191261.tif 000006